(57)【特許請求の範囲】
【請求項１】
水を用いた微細霧による空気負イオン発生と湿度を制御する装置において、使用する水を純水化して流動させることにより水の中で静電現象が発現する値の電気伝導率とする、１０μＳ／ｃｍ以下に規制し水の持つ帯電エネルギーを誘導すると共に、空気負イオン発生用超音波振動子を２．４ＭＨＺの共振周波数で駆動し、湿度制御用超音波振動子を１．６ＭＨＺの共振周波数で駆動し、超音波振動子からの振動エネルギーにより発生する略円錐形状の液柱を囲む逆円錐型筒下部に水の返し部を設け頂点に穴を開け、逆円錐型筒下部の外周より下部に連結された円筒形の台座を設け、逆円錐型筒内のミスト充満に伴い上昇する内圧で最小径の微細霧だけを放出させ、容器内の水と円筒形の台座内の水を隔離し、超音波霧化ユニット仕様書に示された適正水位の水深に円筒形部の台座高を設定し、内部水を含む全体容積を超音波振動子の振動周波数に同調させ液柱の発生効率を向上させたミスト分離機構を設置し、超音波振動子からの振動によって加速度的な付加帯電現象を誘発すると共に、空気負イオン発生と湿度を制御する独立したユニットを同一容器内に設置し、空気負イオン発生用超音波振動子と湿度制御用超音波振動子の異なる振動周波数による干渉を防止し、それぞれのユニットにより得られた空気負イオンを大量に含んだ微細霧と湿度を調整する微細霧を容器内で攪拌混合し、大量の空気負イオンを発生させると共に湿度の制御も行うことを特徴とする水を用いた空気負イオン発生装置。
【請求項２】
水を用いた微細霧による空気負イオン発生させる装置において、使用する水を純水化して流動させることにより水の中で大量の静電現象誘発する、１μＳ／ｃｍ以下に規制し水の持つ帯電エネルギーを誘導すると共に、空気負イオン発生用超音波振動子が２．４ＭＨＺの共振周波数の振動子を４．０ＭＨＺで駆動し、超音波振動子からの振動エネルギーにより発生する略円錐形状の液柱を囲む逆円錐型筒下部に水の返し部を設け頂点に穴を開け、逆円錐型筒下部の外周より下部に連結された円筒形の台座を設け、逆円錐型筒内のミスト充満に伴い上昇する内圧で最小径の微細霧だけを放出させ、容器内の水と円筒形の台座内の水を隔離し、超音波霧化ユニット仕様書に示された適正水位の水深に円筒形部の台座高を設定し、内部水を含む全体容積を超音波振動子の振動周波数に同調させ液柱の発生効率を向上させたミスト分離機構を設置し、超音波振動子からの振動によって加速度的な付加帯電現象を誘発し、駆動周波数の上昇で生じたエネルギー密度の低下を水の純水化率を引き上げて、平均粒子径を小型化し微細霧の発生総量を抑え湿度の上昇を抑制することを特徴とする水を用いた空気負イオン発生装置。
【請求項３】
水を用いた微細霧による空気負イオン発生させる装置において、空気負イオン発生専用の超音波振動子としての超音波素子の固有の共振周波数を、４．０ＭＨＺを中心とした３．８ＭＨＺ〜４．２ＭＨＺの狭い範囲に設定し、発生効率の低下がない空気負イオンの発生霧として理想の粒子径に近づけることを特徴とする請求項１又は請求項２に記載の水を用いた空気負イオン発生装置。
【請求項４】
前記装置とは隔離された、薬効成分やリラックス成分の付加された水から霧を発生させる超音波振動子を備えた装置を追加し、空気負イオン発生と湿度を制御する装置又は空気負イオンを発生する装置から得られた合成霧又は空気負イオンとの相互効果が発揮できることを特徴とする請求項１又は請求項２に記載の水を用いた空気負イオン発生装置。
【発明の詳細な説明】
【技術分野】
【０００１】  本発明は、空気負イオン（従来マイナスイオンと解説されていた）を発生する装置に関し、詳しくは水を利用したイオン化霧による大量の空気負イオンを発生させると共に湿度も制御する装置に関するものである。
【背景技術】
【０００２】  大気中の負イオンと正イオンの比率は同程度といわれているが、環境の変化に伴い近年においては正イオンの数が増え大気中のイオンバランスが崩れている。この弊害を回避するため、負イオンと正イオンのバランスのとれた環境下に身を置くことによって疲労回復効果、血液の浄化効果、精神安定効果、抵抗力の増進効果、自律神経調整効果等の医療効果を得られることが広く知られている。
これらの知見に基づいて育毛装置や健康増進器具が提案されており、空気負イオンの発生方法には、高圧コロナ放電を用いるもの、紫外線を用いるもの、放射線を用いるもの、水を利用するもの等がある。本発明はこの内の水を利用して負イオンの濃度を高める方法に属するものである。【０００３】  特許文献１には、風化珊瑚粉を焼成する珊瑚焼成手段Ｂがあり、珊瑚セラミックカートリッジ１と水を入れる脱着水容器２があり、上記の珊瑚焼成手段により造成した珊瑚セラミック１ａを水流入口３からの水Ｗと反応させ、その水Ｗをアルカリイオン化する。さらに、超音波発振器６があり、上記の脱着水容器２内で上記の珊瑚セラミック１ａを水Ｗと反応させ作られたアルカリイオン水にその振動力を与える。最後に、ファン７が、上記の超音波発振器６により放出された負イオン空気Ａに風力を与える超音波振動力利用珊瑚セラミックの機能生理活性負イオン空気発生装置が提案されている。この方法は霧化部に超音波振動子を用い、水から直接ミストを分離すると共に発生したミストの大、中を分離できる優れた方法であるが、水をアルカリイオン化（ｐＨ７．４〜７．８）する工程により負イオン空気発生が抑制される問題点がある。また、単体の超音波振動子に対して、振動力を与える超音波発振器の周波数が１．６〜２．８ＭＨＺの広帯域では振動子と発振器が非共振状態となり運用効率が低下する問題点もある。【０００４】  特許文献２には、珊瑚利用負イオン発生手段１０からの負イオンが導管２１と負イオン放出頭髪カプセル２２からなる負イオン振りかけ手段２０へ送られる。上記負イオン発生手段１０は、着脱水容器１２ａに収納された珊瑚セラミック粒集合体１１ａを超音波発信器１３の超音波振動で水と反応させアルカリイオン水を作る。この超音波発信器１３は、このイオン水にも超音波振動を与え、このイオン水を負イオンの霧滴Ａにする。負イオン霧滴収納室１４ａ内に設けられた円筒１４ｃにより形成された負イオン霧滴通路１４ｂを、フアンＦが上記負イオン霧滴Ａを螺旋状に送風し、負イオンを頭髪に放出する育毛装置が提案されている。この方法は負イオン放出頭髪カプセルにより霧滴が拡散されるのを防止する効果はあるが、特許文献１同様に珊瑚利用によるアルカリイオン水を原料に負イオンを発生させているため負イオンの発生量を減少させてしまう問題点がある。また、特許文献１同様に、単体の超音波振動子に対して振動力を与える超音波発振器の周波数が１．６〜２．８ＭＨＺの広帯域では振動子と発振器が非共振状態となり運用効率が低下する問題点もある。【０００５】  特許文献３には、水槽３と、ミスト出口４と、送風ファン５と、水槽３に装着される超音波振動子６とを備えている。超音波振動子６の駆動周波数は２〜４．７ＭＨｚに設定して、水槽３内部の空気中にミストを生成させると同時に、マイナスイオンを生成するマイナスイオン生成方法とマイナスイオン発生装置が提案されている。この方法も霧化部に超音波振動子を用い水から直接ミストを製造する。また、２個の超音波振動子を駆動しミストを生成させると同時に、マイナスイオンを生成する優れた方法であるが、ミストの分離工程を含まないため発生したミストの大、中、小を含む全てのミストを放出してしまう問題点がある。また、特許文献１、２同様に、単体の超音波振動子に対して振動力を与える超音波発振器の周波数が２〜４．７ＭＨＺの広帯域では振動子と発振器が非共振状態となり運用効率が低下する問題点もある。【０００６】  特許文献４には、超音波振動子より発生する超音波により原液を霧化蒸散させることにより、加熱調理時に発生する煙と香りと同じ疑似煙と疑似香を発生させ、この疑似煙と疑似香を調理台上に噴出させる超音波霧化装置において、超音波振動子より発生する液柱を囲繞するための逆円錐形状のトラップを吊設し、上記液体漕の一側には空気取り入れ口を、他側には調理台上に開口する気体の噴出口を配設したことを特徴とする疑似演出による食品等の販売装置に使用する超音波霧化装置が提案されている。使用目的は違うが小型で扁平な装置でありミストが微細である点は優れた方法であるが、空気負イオンを生成する装置ではないため特化した機能追求が求められていた。【０００７】  これら従来の水を媒体としたイオン発生方法は、高圧コロナ放電を用いるものの問題点であるオゾンの発生がなく、紫外線を用いるものの問題点であるイオン発生量を克服し、放射線を用いるものの問題点である被爆の問題を解決できる優れた方法であるが、上記の如く個々の問題点を抱えていた。【０００８】  特許文献の装置には、超音波振動子が用いられており超音波振動による加湿器と同じ原理の応用製品である。そして、超音波振動子を用いた製品の超音波霧化ユニットとして１．６ＭＨＺと２．４ＭＨＺのユニットが供給されている。また、従来の超音波霧化ユニットの霧粒子径は３μｍ〜５μｍとされている。超音波素子は固有の共振周波数を持っているので１．６ＭＨＺと２．４ＭＨＺの周波数が印加されている。しかし、水を媒体としたイオン発生での霧の粒子径は１μｍ以下が理想の粒子径といわれているため適正な周波数での運用が求められていた。【０００９】  そして従来の水を媒体としたイオン発生方法は、供給される水の電気伝導率に対する負イオンの発生には着眼されていない。また、超音波振動子を利用して空気負イオンを生成する方法での共振周波数にも着眼されていないため発生する空気負イオン量には限度があり、また空気負イオンを発生させるには複雑な構造の装置を必要とするなどの問題点も残されている。【００１０】
【特許文献１】特開２０００−２２７２３９号公報
【特許文献２】特開２００６−２３９２０９号公報
【特許文献３】特開２００３−３２２３６９号公報
【特許文献４】特開２００５−１０６９０９号公報
【発明の開示】
【発明が解決しようとする課題】
【００１１】  四季を通じて空気負イオンを室内で使用する場合や、育毛装置や健康増進器具に使用する場合には、空気負イオンの量、使用環境の水分率（湿度）が重要な要素となる。室内で使用する場合、冬期には加湿を必要とするが夏期には不要となる。また、育毛装置では３０％〜４０％の湿度が要求され、健康増進器具では６０％〜７０％の高い湿度を要求する場合もある。そこで本発明は、ぞれぞれに特化した超音波振動子を選定し、使用目的に合わせ最適な共振係数で駆動する空気負イオン発生装置を提供することを目的とする。
【課題を解決するための手段】
【００１２】  上記の目的を達成するために請求項１に記載した水を用いた空気負イオン発生装置は、水を用いた微細霧による空気負イオン発生と湿度を制御する装置において、使用する水を純水化して流動させることにより水の中で静電現象が発現する値の電気伝導率とする、１０μＳ／ｃｍ以下に規制し水の持つ帯電エネルギーを誘導すると共に、空気負イオン発生用超音波振動子を２．４ＭＨＺの共振周波数で駆動し、湿度制御用超音波振動子を１．６ＭＨＺの共振周波数で駆動し、超音波振動子からの振動エネルギーにより発生する略円錐形状の液柱を囲む逆円錐型筒下部に水の返し部を設け頂点に穴を開け、逆円錐型筒下部の外周より下部に連結された円筒形の台座を設け、逆円錐型筒内のミスト充満に伴い上昇する内圧で最小径の微細霧だけを放出させ、容器内の水と円筒形の台座内の水を隔離し、超音波霧化ユニット仕様書に示された適正水位の水深に円筒形部の台座高を設定し、内部水を含む全体容積を超音波振動子の振動周波数に同調させ液柱の発生効率を向上させたミスト分離機構を設置し、超音波振動子からの振動によって加速度的な付加帯電現象を誘発すると共に、空気負イオン発生と湿度を制御する独立したユニットを同一容器内に設置し、空気負イオン発生用超音波振動子と湿度制御用超音波振動子の異なる振動周波数による干渉を防止し、それぞれのユニットにより得られた空気負イオンを大量に含んだ微細霧と湿度を調整する微細霧を容器内で攪拌混合し、大量の空気負イオンを発生させると共に湿度の制御も行うことを特徴としている。【００１３】  この発明に使用する水は、同発明者がＰ２００６−ＮＡ１（平成１８年１２月７日提出）として提案したもので、水の電気抵抗率（電気伝導率）に注目した結果、通常の水道水では抵抗率４，０００Ω・ｃｍから５，０００Ω・ｃｍ（１００μＳ／ｃｍ）程度であるのに対し、超純水では抵抗率１０ＭΩ・ｃｍから１８ＭΩ・ｃｍ（０．１μＳ／ｃｍ）程度となり絶縁体に近づく。この状態の水は、流動させるだけでも水の中で静電現象が発生し、水はマイナスに帯電し近傍の樹脂容器がプラスに帯電する。【００１４】  マイナスに帯電した水は、超音波振動子の振動により水を微細化するためのｂｕｒｓｔ（破裂・爆裂・破砕）エネルギーや、ｃａｖｉｔｙ（空所）エネルギーが加わると、種類や強さに応じた加速度的な付加帯電現象を誘発し、霧化と同時に大量の空気負イオンを発生させることとなる。超音波素子は固有の共振周波数を持っているので、加湿器用の超音波霧化ユニットを用いる場合には、１．６ＭＨＺの振動子には１．６ＭＨＺの発振周波数を印加し湿度を制御する微細霧（平均粒子径４μｍ）を発生させ、２．４ＭＨＺの振動子には２．４ＭＨＺの発振周波数を印加し空気負イオンを大量に含む微細霧（平均粒子径３μｍ）を発生させる。【００１５】  発生する微細霧の平均粒子径は、印加する周波数に依存し周波数が高くなるほど粒子径は小さくなるが、水を微細化するためのエネルギーは１．６ＭＨＺ付近で最大値を示し周波数が高くなるほど低下する。そこで、共振により変化する水を微細化するためのエネルギーの大きさに合わせミスト分離機構の台座高を調整し内部水を含む全体容積を共振に合わせ、共振に適合す���水深と内部水を含む全体容積を決定している。【００１６】  請求項２に記載の水を用いた空気負イオン発生装置は、水を用いた微細霧による空気負イオン発生させる装置において、使用する水を純水化して流動させることにより水の中で大量の静電現象誘発する、１μＳ／ｃｍ以下に規制し水の持つ帯電エネルギーを誘導すると共に、空気負イオン発生用超音波振動子が２．４ＭＨＺの共振周波数の振動子を４．０ＭＨＺで駆動し、超音波振動子からの振動エネルギーにより発生する略円錐形状の液柱を囲む逆円錐型筒下部に水の返し部を設け頂点に穴を開け、逆円錐型筒下部の外周より下部に連結された円筒形の台座を設け、逆円錐型筒内のミスト充満に伴い上昇する内圧で最小径の微細霧だけを放出させ、容器内の水と円筒形の台座内の水を隔離し、超音波霧化ユニット仕様書に示された適正水位の水深に円筒形部の台座高を設定し、内部水を含む全体容積を超音波振動子の振動周波数に同調させ液柱の発生効率を向上させたミスト分離機構を設置し、超音波振動子からの振動によって加速度的な付加帯電現象を誘発し、駆動周波数の上昇で生じたエネルギー密度の低下を水の純水化率を引き上げて、平均粒子径を小型化し微細霧の発生総量を抑え湿度の上昇を抑制することを特徴としている。【００１７】  この発明は、超音波振動子の共振特性と水の持つ帯電エネルギーの誘導に注目した結果であり、超音波振動子の振動により発生する微細霧の平均粒子径は、印加する周波数に依存し周波数が高くなるほど粒子径は小さくなることから、加湿器用の超音波霧化ユニットを用いる場合には２．４ＭＨＺの振動子を用いる。そこで、超音波振動子の共振特性に注目すると最大エネルギー密度は２．４ＭＨＺの発振周波数で駆動した場合であり、振動エネルギー密度の低下も考慮した実用域では４．０ＭＨＺ付近までが実用的なエネルギー密度となる。そこで４．０ＭＨＺまで発振周波数を上限にずらして駆動することにより理想の粒子径（１μｍ以下）に近づける。また、４．０ＭＨＺまで発振周波数を上限にずらして駆動することにより生じたエネルギー密度の低下を純水化率を引き上げ水の電気伝導率を１μＳ／ｃｍ以下に規制して静電現象が発生し易い環境を作り補っている。【００１８】  請求項３に記載の水を用いた空気負イオン発生装置は、水を用いた微細霧による空気負イオン発生させる装置において、空気負イオン発生専用の超音波振動子としての超音波素子の固有の共振周波数を、４．０ＭＨＺを中心とした３．８ＭＨＺ〜４．２ＭＨＺの狭い範囲に設定し、発生効率の低下がない空気負イオンの発生霧として理想の粒子径に近づけることを特徴としている。【００１９】  この発明は理想の粒子径（１μｍ以下）に近づけるための対策であるが、ミスト分離機構の内部水を含む全体容積が少なくなり共振に適合する水深と内部水を含む全体容積の調整が困難になり効率低下を招く等の諸問題があり、３．８ＭＨＺ〜４．２ＭＨＺの範囲での設定は総合的バランスを考慮した超音波素子の共振周波数であり、超音波素子の共振周波数に適合する周波数が印加される。【００２０】  請求項４に記載の水を用いた空気負イオン発生装置は、前記装置とは隔離された、薬効成分やリラックス成分の付加された水から���を発生させる超音波振動子を備えた装置を追加し、空気負イオン発生と湿度を制御する装置又は空気負イオンを発生する装置から得られた合成霧又は空気負イオンとの相互効果が発揮できることを特徴としている。【００２１】  この発明は空気負イオン発生と湿度を制御する装置又は空気負イオンを発生する装置に薬効成分やリラックス成分の付加された霧を追加させるものであるが、純水化した空気負イオン化ミストの発生源水に薬効成分やリラックス成分の混合は電気伝導率の上昇をまねく。そこで、空気負イオン発生装置の容器とは隔離された別の霧を発生させる超音波振動子を備えた容器を追加し、空気負イオン発生と湿度を制御する装置又は空気負イオンを発生する装置から得られた合成霧又は空気負イオンと混合する。
【発明の効果】
【００２２】  以上説明したように請求項１の発明によれば、使用する水を純水化して水の電気伝導率を１０μＳ／ｃｍ以下に規制して水がマイナスに帯電し易い状況を作り出し、水の中で静電現象を発生させると共に１．６ＭＨＺの振動子（湿度制御用微細霧）と２．４ＭＨＺの振動子（空気負イオン発生用微細霧）を共振周波数で駆動することにより最大効率で駆動し、さらに振動子の共振に適合する水深と内部水の容量に合わせた台座を持つミスト分離機構内でも内部水を含む全体容積を振動子の共振に適合させ共振させることにより、従来の発生方法に比べ高い効率で空気負イオンを発生させることができる。【００２３】  請求項２の発明によれば、振動子の駆動周波数を上限にずらし、微細霧の平均粒子径を小さくし理想の粒子径（１μｍ以下）に近づけ、微細霧の発生総量を抑え湿度の上昇を抑制する。そして、発振周波数を上限にずらして駆動することにより生じた振動エネルギー密度の低下を純水化率を引き上げ水の電気伝導率を１μＳ／ｃｍ以下に規制して静電現象が発生し易い環境を作り補っているので、従来の発生装置における平均粒子径を小さくした場合の効率低下を防止できる。【００２４】  請求項３の発明によれば、空気負イオン発生専用の超音波振動子（共振周波数が３．８ＭＨＺ〜４．２ＭＨＺ）を用いているため、理想の粒子径（１μｍ以下）に近づくと共に発振周波数を上限にずらして駆動することにより生じるエネルギー密度の低下もなく、ミスト分離機構の内部水を含む全体容積の調整も容易で、純水化率を引き上げ水の電気伝導率を１μＳ／ｃｍ以下に規制する問題を解消できる。【００２５】  請求項４の発明によれば、空気負イオン発生と湿度を制御する装置又は空気負イオンを発生する装置とは別の超音波振動子を備えた発生機構を追加しているので、電気伝導率の上昇による空気負イオン発生量の低下を解消できる。
【発明を実施するための最良の形態】
【００２６】  以下、本発明の実施形態を図１〜図４を参照して詳細に説明する。図１は実施例１で使用する本発明の水を用いた空気負イオン発生装置の構造を示す断面図、図２はミスト分離機構の上面図と側面の断面図、図３は実施例２、実施例３で使用する本発明の水を用いた空気負イオン発生装置の構造を示す断面図、図４は本発明の薬効成分やリラックス成分を発生する超音波振動子を備えた別の発生機構を示す断面図である。【００２７】  実施例１として健康増進器具等に使用する場合、図１示す空気負イオン発生装置を使用する。空気負イオン発生装置の容器１には、空気負イオン発生用の超音波振動子Ａ２と湿度制御用の超音波振動子Ｂ３とそれぞれの超音波振動子専用に設けられたミスト分離機構Ａ４とミスト分離機構Ｂ５と空気取り入れ口６と空気負イオンの放出口７と純水化された水の供給口８が設けられている。【００２８】  水の供給口８より純水化された水９を供給し、発振回路Ａ１０より超音波振動子Ａ２及び発振回路Ｂ１１より超音波振動子Ｂ３に共振周波数を印加し振動子を駆動すると、純水化された水９が振動エネルギーにより略円錐形状の液柱Ａ１２と液柱Ｂ１３を発生する。この液柱Ａ１２と液柱Ｂ１３は振動により千切れ大小さまざまな液滴を生み出す。大きい液滴はミスト分離機構Ａ４又はミスト分離機構Ｂ５の逆円錐型の筒の内壁にぶつかると自重が重いため水に戻される。しかし、小さい液滴は逆円錐型の筒の内壁にぶつかっても自重が軽いため内壁と水との空間Ａ１４又は内壁と水との空間Ｂ１５に漂い充満する。充満に伴い内圧が僅かであるが上昇するため、最小径の微細霧だけが矢印の方向Ａ１６又は矢印の方向Ｂ１７へと流れ、ミスト分離機構Ａ４とミスト分離機構Ｂ５の逆円錐型の筒下部の水の返し部に設けた頂点の穴Ａ１８又は頂点の穴Ｂ１９を通過することになる。【００２９】  空気負イオン化ミストの発生源は、純水化して電気伝導率を１０μＳ／ｃｍ以下に規制することにより水がマイナスに帯電し易い状況を作り出され、純水化された水９として水の供給口８より供給され水位２２を保っている。純水化された水９は、図２のミスト分離機構Ａ４とミスト分離機構Ｂ５の逆円錐型の筒下部の水の返し部Ａ２０又は筒下部の水の返し部Ｂ２１の外周より下部に連結された円筒型の台座Ａ２３又は円筒型の台座Ｂ２４に設けられた穴Ａ２５又は穴Ｂ２６を通過し、矢印Ａ２７又は矢印Ｂ２８のように円筒型の台座Ａ２３又は円筒型の台座Ｂ２４内に進入する。進入した純水化された水９は上記の如く作用を受ける。そして、頂点の穴Ａ１８又は頂点の穴Ｂ１９より発生する微細霧は負に帯電した微細霧と湿度調整用微細霧として空間２９に漂う。【００３０】  空間２９に漂う微細霧は、空気取り入れ口６より圧送される空気の流れ３０に誘導されミスト分離機構Ａ４とミスト分離機構Ｂ５と容器１との空間２９内で攪拌混合され、空気負イオンと湿度調整霧が合成された合成霧３１として容器１の空気負イオンの放出口７より放出される。必要な合成霧３１の量は空気取り入れ口６に流入される空気の流れ３０の量で調整される。【００３１】  空気負イオン発生用の超音波振動子Ａ２と湿度制御用の超音波振動子Ｂ３を同時に駆動するのは空気負イオンの他に湿���も要求される場合で、通常の動作では空気負イオン発生用の超音波振動子Ａ２を最大電力で駆動し、湿度制御用の超音波振動子Ｂ３を３０％〜１００％の範囲で電力可変して合成霧３１を得るのである。【００３２】  実施例２として湿度の増加を抑制した装置等に使用する場合、図３示す空気負イオン発生装置を使用する。空気負イオン発生装置の容器１には、空気負イオン発生用の超音波振動子Ａ２とミスト分離機構Ａ４と空気取り入れ口６と空気負イオンの放出口７と純水化された水の供給口８が設けられている。【００３３】  水の供給口８より純水化された水９を供給し、発振回路Ａ１０より電力（周波数４．０ＭＨＺ）を超音波振動子Ａ２（２．４ＭＨＺ振動子）に供給すると、純水化された水９が振動エネルギーにより略円錐形状の液柱Ａ１２を発生する。この液柱Ａ１２は振動により千切れ大小さまざまな液滴を生み出す。大きい液滴はミスト分離機構Ａ４の逆円錐型の筒の内壁にぶつかると自重が重いため水に戻される。しかし、小さい液滴は逆円錐型の筒の内壁にぶつかっても自重が軽いため内壁と水との空間Ａ１４に漂い充満する。充満に伴い内圧が僅かであるが上昇するため、最小径の微細霧だけが矢印の方向Ａ１６へと流れ、ミスト分離機構Ａ４の逆円錐型の筒下部の水の返し部に設けた頂点の穴Ａ１８を通過することになる。この実施例では２．４ＭＨＺの超音波振動子Ａ２に対し、発振回路Ａ１０より印加する電力の周波数を４．０ＭＨＺに設定し上限にずらし、微細霧の平均粒子径を理想の粒子径（１μｍ以下）に近づけているため、振動エネルギー密度の低下が起こり総発生量は低下する。【００３４】  空気負イオン化ミストの発生源は、純水化して電気伝導率を１μＳ／ｃｍ以下に規制することにより、水が１０μＳ／ｃｍ以下に規制された場合よりさらにマイナスに帯電し易い状況を作り出され、純水化された水９として水の供給口８より供給され水位２２を保っている。純水化された水９は、図２のミスト分離機構Ａ４の逆円錐型の筒下部の水の返し部Ａ２０の外周より下部に連結された円筒型の台座Ａ２３に設けられた穴Ａ２５を通過し、矢印Ａ２７のように円筒型の台座Ａ２３内に進入する。進入した純水化された水９は上記の如く作用を受ける。そして頂点の穴Ａ１８より発生する微細霧は負に帯電した微細霧として空間２９に漂う。また空間２９に漂う微細霧の量は、マイナスに帯電し易い状況を作り出されいるため超音波振動子の振動エネルギー密度の低下を補える量を確保できる。【００３５】  空間２９に漂う微細霧は、空気取り入れ口６より圧送される空気の流れ３０に誘導されミスト分離機構Ａ４と容器１との空間２９内で攪拌混合され、空気負イオン３２として容器１の空気負イオンの放出口７より放出される。必要な空気負イオン３２の量は空気取り入れ口６に流入される空気の流れ３０の量で調整される。【００３６】  空気負イオン発生用の超音波振動子Ａ２の発振周波数を上限にずらして駆動するのは、湿度の増加を抑制する目的で使用し、かつ、加湿器用の超音波霧化ユニットの２．４ＭＨＺの振動子を用いる場合で、微細霧の平均粒子径を小さくし理想の粒子径（１μｍ以下）に近づけ微細霧の相対量を減らし、水の純水化率を上げ、水の中で静電現象が発���し易い状況を作り水をマイナスに積極的に帯電させ、僅かな振動エネルギーで空気負イオンの発生量を確保すると共に湿度の増加を抑制するのである。【００３７】  実施例３として育毛装置等３０％〜４０％の湿度が要求される空気負イオンを用いる場合、図３示す空気負イオン発生装置を使用する。空気負イオン発生装置の容器１には、空気負イオン発生用の超音波振動子Ａ２とミスト分離機構Ａ４と空気取り入れ口６と空気負イオンの放出口７と純水化された水の供給口８が設けられている。【００３８】  水の供給口８より純水化された水９を供給し、発振回路Ａ１０より電力（３．８ＭＨＺ〜４．２ＭＨＺの単周波数）を超音波振動子Ａ２（電力の単周波数に共振する振動子）に供給すると、純水化された水９が振動エネルギーにより略円錐形状の液柱Ａ１２を発生する。この液柱Ａ１２は振動により千切れ大小さまざまな液滴を生み出す。大きい液滴はミスト分離機構Ａ４の逆円錐型の筒の内壁にぶつかると自重が重いため水に戻される。しかし、小さい液滴は逆円錐型の筒の内壁にぶつかっても自重が軽いため内壁と水との空間Ａ１４に漂い充満する。充満に伴い内圧が僅かであるが上昇するため、最小径の微細霧だけが矢印の方向Ａ１６へと流れ、ミスト分離機構Ａ４の逆円錐型の筒下部の水の返し部に設けた頂点の穴Ａ１８を通過することになる。この実施例では４．０ＭＨＺの超音波振動子Ａ２に対し、発振回路Ａ１０より印加する電力の周波数も４．０ＭＨＺに設定した超音波素子の共振周波数に適合する周波数が印加されるので、微細霧の平均粒子径は小さくなり理想の粒子径（１μｍ以下）に近づくと共に、振動エネルギー密度の低下も発生しない。【００３９】  空気負イオン化ミストの発生源は、純水化して電気伝導率を１０μＳ／ｃｍ以下に規制することにより水がマイナスに帯電し易い状況を作り出され、純水化された水９として水の供給口８より供給され水位２２を保っている。純水化された水９は、図２のミスト分離機構Ａ４の逆円錐型の筒下部の水の返し部Ａ２０の外周より下部に連結された円筒型の台座Ａ２３に設けられた穴Ａ２５を通過し、矢印Ａ２７のように円筒型の台座Ａ２３内に進入する。進入した純水化された水９は上記の如く作用を受ける。そして、頂点の穴Ａ１８より発生する微細霧は負に帯電した微細霧として空間２９に漂う。【００４０】  空間２９に漂う微細霧は、空気取り入れ口６より圧送される空気の流れ３０に誘導されミスト分離機構Ａ４と容器１との空間２９内で攪拌混合され、空気負イオン３２として容器１の空気負イオンの放出口７より放出される。必要な空気負イオン３２の量は空気取り入れ口６に流入される空気の流れ３０の量で調整される。【００４１】  空気負イオン発生用の超音波振動子Ａ２と発振周波数を４．０ＭＨＺ（中心周波数）に設定して駆動するのは、微細霧の相対量を減らすことなく、かつ、微細霧の平均粒子径を小さくし理想の粒子径（１μｍ以下）に近づける場合で、小径の微細霧を大量に消費する装置に使用される。尚、４．０ＭＨＺ（中心周波数）の超音波素子は空気負イオン発生専用に設計したものである。【００４２】  図４は本発明の薬効成分やリラックス成分を発生する超音波振動子を備えた別の発生機構を示す断���図であり、薬効成分やリラックス成分の微細霧発生装置の容器１には、薬効成分やリラックス成分の微細霧発生用の超音波振動子Ｂ３とミスト分離機構Ｂ５と空気取り入れ口６と薬効成分やリラックス成分の放出口７と薬効成分やリラックス成分の混合された水の供給口８が設けられている。【００４３】  水の供給口８より薬効成分やリラックス成分の混合された水３４を供給し、発振回路Ｂ１１より超音波振動子Ｂ３に共振周波数を印加し振動子を駆動すると、薬効成分やリラックス成分の混合された水３４が振動エネルギーにより略円錐形状の液柱Ｂ１３を発生する。この液柱Ｂ１３は振動により千切れ大小さまざまな液滴を生み出す。大きい液滴はミスト分離機構Ｂ５の逆円錐型の筒の内壁にぶつかると自重が重いため水に戻される。しかし、小さい液滴は逆円錐型の筒の内壁にぶつかっても自重が軽いため内壁と水との空間Ｂ１５に漂い充満する。充満に伴い内圧が僅かであるが上昇するため、最小径の微細霧だけが矢印の方向Ｂ１７へと流れ、ミスト分離機構Ｂ５の逆円錐型の筒下部の水の返し部に設けた頂点の穴Ｂ１９を通過することになる。【００４４】  薬効成分やリラックス成分ミストの発生源は、薬効成分やリラックス成分の混合された水３４として水の供給口８より供給され水位２２を保っている。薬効成分やリラックス成分の混合された水３４は、図２のミスト分離機構Ｂ５の逆円錐型の筒下部の水の返し部Ｂ２１の外周より下部に連結された円筒型の台座Ｂ２４に設けられた穴Ｂ２６を通過し、矢印Ｂ２８のように円筒型の台座Ｂ２４内に進入する。進入した薬効成分やリラックス成分の混合された水３４は上記の如く作用を受ける。そして、頂点の穴Ｂ１９より発生する微細霧は薬効成分やリラックス成分を含んだ微細霧として空間２９に漂う。【００４５】  空間２９に漂う微細霧は、空気取り入れ口６より圧送される空気の流れ３０に誘導されミスト分離機構Ｂ５と容器１との空間２９内で攪拌混合され、薬効成分やリラックス成分を含んだ微細霧３３として容器１の薬効成分やリラックス成分の放出口７より放出される。必要な薬効成分やリラックス成分を含んだ微細霧３３の量は空気取り入れ口６に流入される空気の流れ３０の量で調整される。【００４６】  空気負イオンを用いた育毛装置等に薬効成分を付加したい場合や、空気負イオンを用いた健康増進器具等にリラックス成分を付加したい場合には、空気負イオン３２又は、空気負イオンと湿度調整霧が合成された合成霧３１と薬効成分やリラックス成分を含んだ微細霧３３と混合して使用するのである。
【図面の簡単な説明】
【００４７】
【図１】本発明の実施例１で使用する水を用いた空気負イオン発生装置の構造を示す断面図である。
【図２】本発明のミスト分離機構の上面図と側面の断面図である。
【図３】本発明の実施例２、実施例３で使用する水を用いた空気負イオン発生装置の構造を示す断面図である。
【図４】本発明の薬効成分やリラックス成分を発生する超音波振動子を備えた別の発生機構を示す断面図である。
【符号の説明】
【００４８】１      容器２      超音波振動子Ａ３      超音波振動子Ｂ４      ミスト分離機構Ａ５      ミスト分離機構Ｂ６      空気取り入れ口７      放出口８      水の供給口９      純水化された水１０    発振回路Ａ１１    発振回路Ｂ１２    液柱Ａ１３    液柱Ｂ１４    内壁と水との空間Ａ１５    内壁と水との空間Ｂ１６    矢印の方向Ａ１７    矢印の方向Ｂ１８    頂点の穴Ａ１９    頂点の穴Ｂ２０    水の返し部Ａ２１    水の返し部Ｂ２２    水位２３    台座Ａ２４    台座Ｂ２５    穴Ａ２６    穴Ｂ２７    矢印Ａ２８    矢印Ｂ２９    空間３０    空気の流れ３１    合成霧３２    空気負イオン３３    薬効成分やリラックス成分を含んだ微細霧３４    薬効成分やリラックス成分の混合された水
【図１】
0004775743.tif 000002
【図２】
0004775743.tif 000003
【図３】
0004775743.tif 000004
【図４】
0004775743.tif 000005